(57)【要約】【課題】ワンタッチ操作で迅速かつ正確にデータの読み取りおよび書き込み等の処理が可能なバンド付き棒型電子タグ収容ケースを提供することを目的とする。【解決手段】棒型電子タグ１４と、該棒型電子タグ１４を収容、封止するための収容部１３およびバンド取付部３３とをそれぞれ有するケース本体１２とを備え、このケース本体１２における棒型電子タグ収容部１３の長さ方向端部にこれと直交するように、電気錠４１のタグキャッチャー４２に対して挿・脱自在としたガイド部２２を設けて構成される。【選択図】          図１
2004162331.tif 000002
【特許請求の範囲】
【請求項１】
棒型電子タグと、該棒型電子タグを収容、封止するための収容部およびバンド取付部とをそれぞれ有するケース本体とを備え、
このケース本体における棒型電子タグ収容部の長さ方向端部に、これと直交するように電気錠のタグキャッチャーに対して挿・脱自在としたガイド部を設けたことを特徴とするバンド付き棒型電子タグ収容ケース。
【請求項２】
棒型電子タグ収容部として、一端に閉鎖部が、他端に開口部がそれぞれ設けられた長孔を、ケース本体のガイド部と直交する略中央部に形成すると共に、長孔一端の開口部を、収容された棒型電子タグの封止具で封止することを特徴とする請求項１記載のバンド付き棒型電子タグ収容ケース。
【請求項３】
ケース本体における電子錠のタグキャッチャーに対して挿・脱自在としたガイド部として、互いに反対方向へ突出する同形、同大の一対のガイド突起を形成したことを特徴とする請求項１または２記載のバンド付き棒型電子タグ収容ケース。
【請求項４】
電気錠のタグキャッチャー正面に、一端に位置決め用のストッパー部を有し、他端に開口部を形成した凹溝を設け、この凹溝の内側対向壁の下方にガイド溝を形成する一方、ケース本体の一対のガイド突起に、前記ガイド溝に擢動自在に係合する係合突条を形成したことを特徴とする請求項１または３記載のバンド付き棒型電子タグ収容ケース。
【請求項５】
電気錠のタグキャッチャーにおけるガイド溝の内側中央部に、バネの付勢力により上方へ突出保持されたスタートスイッチの作動体を対設する一方、ケース本体のガイド突起における係合突条の外側中央部に、前記作動ピン上端に係合してこれを押圧する係合凹部を形成したことを特徴とする請求項４に記載のバンド付き棒型電子タグ収容ケース。
【発明の詳細な説明】
【０００１】
【発明の属する技術分野】
本発明は、バンド付き棒型電子タグ収容ケースに関する。
【０００２】
【従来の技術】
従来、フィットネスクラブ、サウナ、ボーリング場、プール、スキー場等の施設、例えば貸しロッカーにおいては、無線で記憶媒体に記憶番号の書き換えができるコイン型の電子タグ（非接触ＩＣ記憶媒体）を取り付けたリストバンドが利用されている。
【０００３】
すなわち、ロッカー利用者は、このリストバンドを装着したままロッカーとの間でＩＤコードの授受を非接触で行い、ＩＤコードの一致によりロッカーを解錠するものである（例えば、特許文献１参照）。
【０００４】
【特許文献１】
特開２００２−２０２７２３号公報
【０００５】
【発明が解決しようとする課題】
しかしながら、従来のコイン型の電子タグ付きのリストバンドでは、それ以前のカード形式のものと比べて、使い勝手がよく、紛失を防ぐことができる等、種々な利便性を有する反面、ロッカーとの間でＩＤコードの授受を非接触で行う際、ロッカー利用者の操作が恣意的に行われるため、おうおうにして読取りミス等が発生し易い。そのため、ロッカー利用者は操作を数回繰り返して行わなければならないことも多く、作業性が悪い問題がある。
【０００６】
本発明は、前記した従来の技術が有する問題点を解消するもので、ワンタッチ操作で迅速かつ正確にデータの読み取りおよび書き込み等の処理が可能なバンド付き棒型電子タグ収容ケースを提供することを目的とする。
【０００７】
【課題を解決するための手段】
上記目的を達成するために、本発明に係るバンド付き棒型電子タグ収容ケースは、請求項１では、棒型電子タグと、該棒型電子タグを収容、封止するための収容部およびバンド取付部とをそれぞれ有するケース本体とを備え、
このケース本体における棒型電子タグ収容部の長さ方向端部に、これと直交するように電気錠のタグキャッチャーに対して挿・脱自在としたガイド部を設けたことを特徴とする。
【０００８】
この請求項１の発明では、バンドを手首に装着したままケース本体に設けたガイド部を電気錠のタグキャッチャーに挿入させることによりワンタッチで、棒型電子タグ（非接触ＩＣ記憶媒体）とロッカーの電気錠との間でＩＤコードの授受（データの読み取りや書き込み等）ができる。しかも、この場合、電気錠のタグキャッチャーに対して直交する方向に常時棒型電子タグの一端が対面するため、電磁波の送受信が安定しており、間違いの無い正確なデータ処理が可能となる。
【０００９】
請求項２では、棒型電子タグ収容部として、一端に閉鎖部が、他端に開口部がそれぞれ設けられた長孔を、ケース本体のガイド部と直交する略中央部に形成すると共に、長孔一端の開口部を、収容された棒型電子タグの封止具で封止することを特徴とする。
【００１０】
この請求項２の発明では、細長い棒型電子タグを使用するため、ケース本体に電子タグの収容部として同形状の長孔を設けるだけでよく、スペースの無駄を少なくすることができる。さらに、電子タグを開口部から長孔内へ差し込んだ後、封止具を開口部に嵌合するだけのワンタッチ操作で電子タグを収容でき、しかもいったん収容されれば電子タグは容易には抜け落ちることはないものである。
【００１１】
請求項３では、ケース本体における電子錠のタグキャッチャーに対して挿・脱自在としたガイド部として、互いに反対方向へ突出する同形、同大の一対のガイド突起を形成したことを特徴とする。
【００１２】
この請求項３の発明では、ケース本体の両側に設けたガイド突起のいずれも問題なく使用することができるため、使い勝手が頗るよいものである。
【００１３】
請求項４では、電気錠のタグキャッチャー正面に、一端に位置決め用のストッパー部を有し、他端に開口部を形成した凹溝を設け、この凹溝の内側対向壁の下方にガイド溝を形成する一方、ケース本体の一対のガイド突起に、前記ガイド溝に擢動自在に係合する係合突条を形成したことを特徴とする。
【００１４】
この請求項４の発明では、電気錠のタグキャッチャーにおける凹溝下方に設けたガイド溝と、ケース本体両側のガイド突起に設けた係合突条との係・脱作業が確実に行われる。また、係合突条がストッパー部に当接するため、電気錠のタグキャッチャーに対する収容ケースの位置決めが正確に行われる。
【００１５】
請求項５では、電気錠のタグキャッチャーにおけるガイド溝の内側中央部に、バネの付勢力により上方へ突出保持されたスタートスイッチの作動体を対設する一方、ケース本体のガイド突起における係合突条の外側中央部に、前記作動ピン上端に係合してこれを押圧する係合凹部を形成したことを特徴とする。
【００１６】
この請求項５の発明では、電気錠のガイド溝とケース本体の係合突条とを係・脱することで電気錠におけスイッチのオン・オフ操作が容易に行われる。
【００１７】
【発明の実施の形態】
以下、本発明の実施の形態について図面を参照して詳細に説明する。
図１は、本発明に係るバンド付き棒型電子タグ収容ケースのバンドの一部を切り欠いた全体斜視図を示し、図２は、同上の収容ケース部分の平面図を示し、図３は、その側面図を示し、図４は、図３のＡ−Ａ矢視横断平面図を示し、図５は、図２のＢ−Ｂ矢視縦断側面図を示し、図６は、図２のＣ−Ｃ矢視縦断正面図を示し、図７は、封止具の平面図を示し、図８は、その側面図を示し、図９は、その底面図を示し、図１０は、電気錠のタグキャッチャーに対して収容ケースを係合した状態の一部の側面図を示し、図１１は、係合途中状態の全体の縦断正面図を示し、図１２は、係合した状態の全体の縦断正面図を示す。
【００１８】
図面において、１はリストバンド、１１は棒型電子タグ収容ケースをそれぞれ示す。
【００１９】
リストバンド１は、次のように構成される。
可とう性を有する非磁性の合成樹脂材からなる長短のバンド２、３と、このバンド２、３の基端にそれぞれ設けられたホルダ部４、５と、バンド３の先端に装着された取付具６と、バンド２の片面に一定の間隔を置いて並設された、前記取付具６に係止される複数の突条７とを備え、ホルダ部４、５に係止ピン８、９がそれぞれ挿着され、係止ピン８、９の両突端を収容ケース１１のバンド取付部（後述する）に係止させることによって収容ケース１１の前後両端に回動自在に支持される。なお、本発明のリストバンド１としては、図示例に示す形態に限られるものではなく、例えばカールコードからなるリストバンド、もしくは伸縮性ある合成ゴム製平ベルトからなるリストバンドを使用することもできる。
【００２０】
棒型電子タグ収容ケース１１は、次のように構成される。
正面形状が略矩形の硬質プラスチック材よりなるケース本体１２と、このケース本体１２の左右両側に設けられたガイド部２２と、ケース本体１２の前後両側に設けられた前述のバンド取付部３３とを備えている。
【００２１】
前記ケース本体１２は、その中央部に棒型電子タグ収容部１３が設けられている。この収容部１３は、ガイド部２２と直交する方向に、棒型電子タグ１４よりやや広径の円形の長孔１５として形成され、一端に閉鎖部１５ａが、他端に開口部１５ｂがそれぞれ設けられている。そして、この開口部１５ｂは、収容された棒型電子タグ１４の封止具１６によって封止される。
【００２２】
さらに詳述すると、ケース本体１２における開口部１５ｂ側のガイド部２２に、封止具１６が嵌合可能な長方形の嵌合穴１７が設けられている。この嵌合穴１７は、その内底中央部に前記長孔１５が、直交状態に連通して配置されると共に、先端は開放され、かつ長手方向の内壁両面に２個一対の係合孔１８がそれぞれ設けられている。
【００２３】
前記封止具１６は図７〜図９に示したように、硬質プラスチック材にてケース本体１２の嵌合穴１７に嵌合可能に形成されている。すなわち、長方形の天板部１６ａと、その長手方向の両端に直角に折曲して対設された一対の側板部１６ｂ、１６ｂとでバネ性が与えられるよう側面略コ字型に形成され、天板部１６ａの内側中央に、ケース本体１２の長孔１５に収容された棒型電子タグ１４の先端を当接、保持する押え１６ｃが突設されると共に、側板部１６ｂ、１６ｂの外面両端に２個一対の係合突起１９がそれぞれ設けられている。これによって、封止具１６をケース本体１２の嵌合穴１７に押し込むと、各係合突起１９と各係合孔１８が互いに係合することで封止具１６は嵌合穴１７にパッチン嵌合され、これによって電子タグ１４はケース本体１２の長孔１５内に封止される。
【００２４】
前記ガイド部２２は、ケース本体１２の左右両側中央に、互いに反対方向へ突出する同形、同大の一対のガイド突起２３からなっている。このガイド突起２３においては、電気錠４１のタグキャッチャー４２に対して機能するために、前後両端に傾斜面２４が、両側に係合突条２５が、係合突条２５の外側中央部に三角形の係合凹部２６がそれぞれ形成されている。
【００２５】
すなわち、電気錠４１のタグキャッチャー４２は図１０〜図１２に示したように、一端に位置決め用のストッパー部４３を有し、他端に開口部４４を形成した凹溝４５が先端に開口して設けられている。そして、この凹溝４５の内側対向壁の下方にガイド溝４６が凹設されると共に、このガイド溝４６の内側中央部に、バネ４７の付勢力により上方へ突出保持されたスタートスイッチ４８の作動体４９が貫通して対設されている。この作動体４９は、バネ４７の巻装部の先端が二股に分岐して形成されると共に、二股部４９ａの先端４９ｂが三角形に尖らせて形成されている。
【００２６】
前記バンド取付部３３は、リストバンド１における各バンド２、３のホルダ部４、５に挿着された既述係止ピン８、９の両突端が係止するピン孔３４が、前後両端に対向してそれぞれ設けられている。
【００２７】
このような構成からなる電気錠４１のタグキャッチャー４２に対して棒型電子タグ収容ケース１１は次のようにして係・脱される。
先ず、ケース本体１２のタグ収容部１３における長孔１５内に、その開口部１５ｂ側から棒型電子タグ１４を収容し、開口部１５ｂ先端に連設された嵌合穴１７に封止具１６を嵌合することによって電子タグ１４を長孔１５内に封止する。
【００２８】
この状態において、図１１および図１２に示したようにケース本体１２のガイド部２２におけるガイド突起２３を、電気錠４１のタグキャッチャー４２の凹溝４５へ、その開口部４４側から、反対側のストッパー部４３へガイド突起２３の他端が当接するまで挿入する。
【００２９】
すると、ガイド突起２３の両側に設けられた係合突条２５が、凹溝４５下方のガイド溝４６を擢動するに伴って、係合突条２５の係合凹部２６がスタートスイッチ４８の作動体４９の先端４９ｂを係合、押圧する。このさい、係合突条２５先端の傾斜面２４が先ず作動体４９の先端４９ｂに突き当り、次いで係合突条２５の下端に押接された後に、バネ４７の付勢力により係合凹部２６に係合するものである。これによって、電気錠４１のスタートスイッチ４８がオンとなる。ケース本体１２のガイド部２２をタグキャッチャー４２の凹溝４５からその開口部１５ｂに向って引き抜けばスタートスイッチ４８はオフとなる。
【００３０】
【発明の効果】
以上詳述したように本発明に係るバンド付き棒型電子タグ収容ケースは、ケース本体に設けたガイド部を、電気錠のタグキャッチャーに設けた凹溝へ挿入、係合することで操作が行われるため、操作ミスおよびこれによる読取りミス等の発生を有効に防止することができる。
【００３１】
また、細長い棒型電子タグをケース本体に内蔵するため、スペースの無駄が省け、ケースの小型化を図ることができる。さらに、ケース本体に内蔵した棒型電子タグを電気錠のタグキャッチャーに対して直交する方向に対向配置されているため、電磁波の送受信が安定することで、確実なデータ処理ができる。
【図面の簡単な説明】
【図１】本発明に係るバンド付き棒型電子タグ収容ケースのバンドの一部を切り欠いた全体斜視図を示す。
【図２】収容ケース部分の平面図を示す。
【図３】収容ケース部分の側面図を示す。
【図４】図３のＡ−Ａ矢視横断平面図を示す。
【図５】図２のＢ−Ｂ矢視縦断側面図を示す。
【図６】図２のＣ−Ｃ矢視縦断正面図を示す。
【図７】封止具の平面図を示す。
【図８】封止具の側面図を示す。
【図９】封止具の底面図を示す。
【図１０】電気錠のタグキャッチャーに対して収容ケースを係合した状態の側面図を示す。
【図１１】その係合途中状態の縦断正面図を示す。
【図１２】係合した状態の縦断正面図を示す。
【符号の説明】
１      リストバンド
１１    棒型電子タグ収容ケース
１２    ケース本体
１３    棒型電子タグ収容部
１４    棒型電子タグ
１５    長孔
１５ａ  閉鎖部
１５ｂ  開口部
１６    封止具
１７    嵌合穴
２２    ガイド部
２３    ガイド突起
２５    係合突条
２６    係合凹部
３３    バンド取付部
４１    電気錠
４２    タグキャッチャー
４３    ストッパー部
４４    開口部
４５    凹溝
４６    ガイド溝
４７    バネ
４８    スタートスイッチ
４９    作動体
【図１】
2004162331.tif 000003
【図２】
2004162331.tif 000004
【図３】
2004162331.tif 000005
【図４】
2004162331.tif 000006
【図５】
2004162331.tif 000007
【図６】
2004162331.tif 000008
【図７】
2004162331.tif 000009
【図８】
2004162331.tif 000010
【図９】
2004162331.tif 000011
【図１０】
2004162331.tif 000012
【図１１】
2004162331.tif 000013
【図１２】
2004162331.tif 000014